(57)【要約】【課題】信頼性の観点から申請手続きを定量的に評価し、もって、申請手続きにおける信頼性を確保するための設計作業や改善作業を支援することができる信頼度評価プログラムおよび信頼度評価装置を提供すること。【解決手段】信頼度評価装置１００は、申請手続きの各段階において申請者に関する事実確認に利用される対象の関連を示すパスを、そのパスにおいて本人確認に係る情報が伝達される向きと、情報の伝達の正確さを示すパス信頼度とともに記憶したデータに基づいて、申請手続きの起点から所定の段階までの経路をパスの集合として取得する経路取得部１２３と、経路取得部１２３によって取得された経路を構成する各パスに対応するパス信頼度と、起点の信頼度とを乗じることにより、所定の段階における申請手続きの信頼度を算出する検証点信頼度算出部１２４とを備える。【選択図】        図５
2007305066.tif 000002
【特許請求の範囲】
【請求項１】
申請手続きの信頼度を評価する信頼度評価プログラムであって
前記申請手続きの各段階において申請者に関する事実確認に利用される対象の関連を示すパスを、そのパスにおいて事実確認に係る情報が伝達される向きと、該情報の伝達の正確さを示すパス信頼度とともに記憶したデータに基づいて、前記申請手続きの起点から所定の段階までの経路を前記パスの集合として取得する経路取得手順と、
前記経路取得手順によって取得された経路を構成する各パスに対応する前記パス信頼度と、前記起点の信頼度とを乗じることにより、前記所定の段階における申請手続きの信頼度を算出する信頼度算出手順と
をコンピュータに実行させることを特徴とする信頼度評価プログラム。
【請求項２】
前記信頼度算出手順より算出された複数の段階における申請手続きの信頼度に基づいて、前記申請手続き全体の信頼度を算出する総合信頼度算出手順をさらにコンピュータに実行させることを特徴とする請求項１に記載の信頼度評価プログラム。
【請求項３】
前記申請手続きの起点において申請者の事実確認に利用される対象の通用期間に基づいて前記起点の信頼度を算出する起点信頼度算出手順をさらにコンピュータに実行させることを特徴とする請求項１または２に記載の信頼度評価プログラム。
【請求項４】
前記起点信頼度算出手順は、さらに、前記申請手続きの起点において申請者の事実確認に利用される対象が事実確認のために利用された回数に基づいて前記起点の信頼度を算出することを特徴とする請求項３に記載の信頼度評価プログラム。
【請求項５】
前記データの一部を変更する前後における前記信頼度算出手順の算出結果を並列表示するシミュレート手順をさらにコンピュータに実行させることを特徴とする請求項１〜４のいずれか一つに記載の信頼度評価プログラム。
【請求項６】
前記シミュレート手順は、前記データの一部を連続的に変動させ、この変動にともなう前記信頼度算出手順の算出結果の変動をグラフ化して表示することを特徴とする請求項５に記載の信頼度評価プログラム。
【請求項７】
前記パス信頼度の変動量と、該パス信頼度の変動にともなって前記信頼度算出手順によって算出される信頼度が変動する量との比率を前記パスごとに求め、当該比率が所定の閾値よりも大きいパスを抽出する感度分析手順をさらにコンピュータに実行させることを特徴とする請求項１〜６のいずれか一つに記載の信頼度評価プログラム。
【請求項８】
前記申請手続きの各段階において申請者の事実確認に利用される対象の名称を行名と列名として配置し、行列の要素として、前記対象の関連を示す前記パスのパス信頼度を配置した二次元行列をユーザインターフェースに表示させ、この二次元行列を前記パスに係る情報の入出力手段として利用するユーザインターフェース制御手順をさらにコンピュータに実行させることを特徴とする請求項１〜７のいずれか一つに記載の信頼度評価プログラム。
【請求項９】
前記申請手続きの各段階において申請者の事実確認に利用される対象の関連を示す前記パスが一連の連続する軌跡として現れるように、前記二次元行列を所定分割して配置する情報視覚化手順をさらにコンピュータに実行させることを特徴とする請求項８に記載の信頼度評価プログラム。
【請求項１０】
申請手続きの信頼度を評価する信頼度評価装置であって
前記申請手続きの各段階において申請者に関する事実確認に利用される対象の関連を示すパスを、そのパスにおいて事実確認に係る情報が伝達される向きと、該情報の伝達の正確さを示すパス信頼度とともに記憶したデータに基づいて、前記申請手続きの起点から所定の段階までの経路を前記パスの集合として取得する経路取得手段と、
前記経路取得手段によって取得された経路を構成する各パスに対応する前記パス信頼度と、前記起点の信頼度とを乗じることにより、前記所定の段階における申請手続きの信頼度を算出する信頼度算出手段と
を備えたことを特徴とする信頼度評価装置。
【発明の詳細な説明】
【技術分野】
【０００１】
この発明は、申請手続きの信頼度を評価する信頼度評価プログラムおよび信頼度評価装置に関し、特に、信頼性の観点から申請手続きを定量的に評価し、もって、申請手続きにおける信頼性を確保するための設計作業や改善作業を支援することができる信頼度評価プログラムおよび信頼度評価装置に関する。
【背景技術】
【０００２】
一般に、高い信頼性を必要とする申請手続きにおいては、申請書や証明書に基づいて、申請人が申請書に記載された本人であることを確認しながら処理が進行される。このような申請手続きにおいて、証明書は、事実確認の一種である本人確認のために非常に重要な意味をもっており、近年では、証明書の信頼性を高めるため、特許文献１に記載されている電子署名のような高度な偽造防止技術が証明書に適用されるようになっている。
【０００３】
【特許文献１】特許第３５８８０４２号公報
【発明の開示】
【発明が解決しようとする課題】
【０００４】
しかしながら、証明書に高度な偽造防止技術を適用したとしても、申請手続きが多くの担当者を経る複雑なものである場合には、そのプロセス中に「なりすまし」（申請人が他人になりすますこと）等の不正に対する脆弱性ができやすく、また、作業ミスも起こりやすくなり、申請手続きの信頼性を確保することが困難になる。
【０００５】
このため、申請手続きの設計段階等において、申請手続きの信頼性を定量的に評価し、問題点の発見や、改善策の立案を支援する技術の実現が従来から強く求められていた。従来より、効率化やコスト削減の観点からプロセス分析を行う手法は知られていたが、信頼性の観点からプロセス分析を行う手法は存在しなかった。
【０００６】
この発明は、上述した従来技術による問題点を解消するためになされたものであり、信頼性の観点から申請手続きを定量的に評価し、もって、申請手続きにおける信頼性を確保するための設計作業や改善作業を支援することができる信頼度評価プログラムおよび信頼度評価装置を提供することを目的とする。
【課題を解決するための手段】
【０００７】
上述した課題を解決し、目的を達成するため、本発明の一つの態様では、申請手続きの信頼度を評価する信頼度評価プログラムであって前記申請手続きの各段階において申請者の事実確認に利用される対象の関連を示すパスを、そのパスにおいて事実確認に係る情報が伝達される向きと、該情報の伝達の正確さを示すパス信頼度とともに記憶したデータに基づいて、前記申請手続きの起点から所定の段階までの経路を前記パスの集合として取得する経路取得手順と、前記経路取得手順によって取得された経路を構成する各パスに対応する前記パス信頼度と、前記起点の信頼度とを乗じることにより、前記所定の段階における申請手続きの信頼度を算出する信頼度算出手順とをコンピュータに実行させることを特徴とする。
【０００８】
また、本発明の他の態様では、申請手続きの信頼度を評価する信頼度評価装置であって前記申請手続きの各段階において申請者の事実確認に利用される対象の関連を示すパスを、そのパスにおいて事実確認に係る情報が伝達される向きと、該情報の伝達の正確さを示すパス信頼度とともに記憶したデータに基づいて、前記申請手続きの起点から所定の段階までの経路を前記パスの集合として取得する経路取得手段と、前記経路取得手段によって取得された経路を構成する各パスに対応する前記パス信頼度と、前記起点の信頼度とを乗じることにより、前記所定の段階における申請手続きの信頼度を算出する信頼度算出手段とを備えたことを特徴とする。
【０００９】
また、本発明の他の態様では、上記の発明の態様において、前記信頼度算出手順より算出された複数の段階における申請手続きの信頼度に基づいて、前記申請手続き全体の信頼度を算出する総合信頼度算出手順をさらにコンピュータに実行させることを特徴とする。
【００１０】
また、本発明の他の態様では、上記の発明の態様において、前記申請手続きの起点において申請者の事実確認に利用される対象の通用期間に基づいて前記起点の信頼度を算出する起点信頼度算出手順をさらにコンピュータに実行させることを特徴とする。
【００１１】
また、本発明の他の態様では、上記の発明の態様において、前記起点信頼度算出手順は、さらに、前記申請手続きの起点において申請者の事実確認に利用される対象が事実確認のために利用された回数に基づいて前記起点の信頼度を算出することを特徴とする。
【００１２】
また、本発明の他の態様では、上記の発明の態様において、前記データの一部を変更する前後における前記信頼度算出手順の算出結果を並列表示するシミュレート手順をさらにコンピュータに実行させることを特徴とする。
【００１３】
また、本発明の他の態様では、上記の発明の態様において、前記シミュレート手順は、前記データの一部を連続的に変動させ、この変動にともなう前記信頼度算出手順の算出結果の変動をグラフ化して表示することを特徴とする。
【００１４】
また、本発明の他の態様では、上記の発明の態様において、前記パス信頼度の変動量と、該パス信頼度の変動にともなって前記信頼度算出手順によって算出される信頼度が変動する量との比率を前記パスごとに求め、当該比率が所定の閾値よりも大きいパスを抽出する感度分析手順をさらにコンピュータに実行させることを特徴とする。
【００１５】
また、本発明の他の態様では、上記の発明の態様において、前記申請手続きの各段階において申請者の事実確認に利用される対象の名称を行名と列名として配置し、行列の要素として、前記対象の関連を示す前記パスのパス信頼度を配置した二次元行列をユーザインターフェースに表示させ、この二次元行列を前記パスに係る情報の入出力手段として利用するユーザインターフェース制御手順をさらにコンピュータに実行させることを特徴とする。
【００１６】
また、本発明の他の態様では、上記の発明の態様において、前記申請手続きの各段階において申請者の事実確認に利用される対象の関連を示す前記パスが一連の連続する軌跡として現れるように、前記二次元行列を所定分割して配置する情報視覚化手順をさらにコンピュータに実行させることを特徴とする。
【発明の効果】
【００１７】
本発明の一つの態様によれば、申請手続きの各段階の間でやりとりされる事実確認のための情報の流れをパスとして定義し、パスごとに設定したパス信頼度に基づいて申請手続きの信頼度を算出するように構成したので、申請手続きの信頼度を定量的に評価することができるという効果を奏する。
【００１８】
また、本発明の他の態様によれば、申請手続きの信頼度を算出する方法を応用して、各種分析やシミュレーションを行うことができるように構成したので、申請手続きの様々なバリエーションに対して信頼度を算出して比較することが可能になり、申請手続きのプロセスの設計や改善作業が効率化されるという効果を奏する。
【発明を実施するための最良の形態】
【００１９】
以下に添付図面を参照して、本発明に係る信頼度評価プログラムおよび信頼度評価装置の好適な実施の形態を詳細に説明する。なお、以下の実施例では、本発明を運転免許証（以下、単に「免許証」という）の更新手続きに適用した場合について説明するが、本発明は、他の申請手続きにおいても有効である。
【実施例】
【００２０】
まず、免許証の更新手続きを例にして、本実施例に係る信頼性評価方法の概要について説明する。免許証の更新手続きは、所定の通用期間を経過した免許証（以下、「旧免許証」という）を新たな通用期間をもつ免許証（以下、「新免許証」という）へ更新するための手続である。
【００２１】
免許証の更新手続きにおいては、申請人は、自身の氏名や住所を記入し、自身の写真を貼付した申請書を旧免許証とともに受付窓口の担当者（以下、「受付者」という）に提出し、事実確認の一種としての本人確認を受ける。ここで、受付者は、旧免許証の写真と申請人の肖像（顔）を照合し、申請人が旧免許証の正当な所有者であることを確認する。また、受付者は、旧免許証の写真および記載事項と、申請書の写真および記載事項とを照合し、申請書の写真が申請人本人のものであり、かつ、記載事項が正しいことを確認する。
【００２２】
その後、申請人は、申請書を持ちまわって必要な処理を進めていき、最終的に新免許証を受け取る。各処理においては、処理の担当者が、申請書の写真と申請人の肖像を照合し、申請人と申請書の対応が正しいことを確認する。このように、免許証の更新手続きにおいては、申請書が証明書の機能を兼ね、各段階において申請書を用いた本人確認が行われる。
【００２３】
申請手続きの信頼性を評価するには、上記のように手続きの各段階で行われる事実確認における証明書や申請人等（以下、単に「オブジェクト」という）の照合関係を手順に沿って追跡し、その正しさを系統的に判断していく必要がある。そこで、本実施例に係る信頼性評価方法では、照合関係を行列型のデータとして整理する。このような行列を本書では、アクションマトリクスと呼ぶこととする。
【００２４】
図１にアクションマトリクスの一例を示す。同図に示すように、アクションマトリクスの上端および左端には、手続きの各段階において事実確認に用いられるオブジェクトが配置される。アクションマトリクスにおいては、オブジェクトは、同一のものであっても、用いられる段階ごとに区別して扱われる。
【００２５】
オブジェクトを申請手続きの段階ごとに区別するため、本願では、所定の段階でのオブジェクトを
＜オブジェクト名＞＠＜所定の段階の被申請側担当者＞
という形式で表記することとする。例えば、「申請書＠受付者」と「申請書＠検査者」は、物理的には同じものであっても、別物として扱う。なお、検査者は、申請人の視力等を検査する被申請側担当者を意味する。
【００２６】
また、アクションマトリクスの上端および左端には、オブジェクトに含まれる写真、氏名、住所、肖像といった属性がそれぞれのオブジェクトの要素として配置される。本願では、所定の段階でのオブジェクトを属性も含めて表記する場合は、
＜オブジェクト名＞＠＜所定の段階の被申請側担当者＞．＜属性名＞
という形式を用いることとする。
【００２７】
また、アクションマトリクスの上端および左端に配置された属性の交差部分には、それらの属性間の照合関係等を示すアクションが設定される。例えば、「移動」というアクションは、申請人自身の移動にともなうその属性の移動を表す。また、「転送」というアクションは、被申請側担当者によるその属性の配送を表し、「持参」というアクションは、申請人自身によるその属性の配送を表す。
【００２８】
そして、「照合」というアクションは、被申請側担当者による属性同士の一致の確認を表し、「撮影」というアクションは、被申請側担当者による申請人の写真撮影を表し、「転載」というアクションは、被申請側担当者によるその属性の他の書類への転載を表す。
【００２９】
アクションは方向性をもち、上端に配置された属性から左端に配置された属性へ情報が移動するようにアクションマトリクスに設定される。「照合」については、通常の感覚では双方向的なものと考えられがちであるが、照合の実行者がその時点でより信頼を置いている側を照合元とし，その照合の対象を照合先とした方向性を持つアクションとして扱う。照合の実行者は、照合元の信頼性を、照合を行うことによって照合先に転写していると考えるとわかりやすい。
【００３０】
そして、上端の属性からアクションを介して関係づけられた左端の属性は、次の段階では、上端の同じ名前の属性として現れ、やはり、アクションを介して左端の属性へと関係付けられる。このような属性間の関連付けが申請手続きの終点まで繰り返される様子を逐次的に表現したものがアクションマトリクスである。
【００３１】
図１に示したアクションマトリクスは、旧免許証の写真が、受付者によって申請人の肖像と照合され、照合先となった申請人の肖像が、申請人の移動にともなって、検査者のもとへ移動する旨を示している。
【００３２】
また、同図は、旧免許証の写真、氏名および住所が、受付者によって申請書の写真、氏名および住所と照合され、照合先となった申請書の写真、氏名および住所が、申請人の持参によって検査者のもとへ移動し、移動後の申請書の写真が、検査者によって申請人の肖像と照合される旨を示している。
【００３３】
各アクションには、それぞれ、信頼度を与えることができる。「移動」、「転送」および「持参」のアクションに対応する信頼度は、属性の移転がどの程度正しく行われるかを表す。「撮影」および「転載」のアクションに対応する信頼度は、属性の複製がどの程度正しく行われるかを表す。また、「照合」のアクションに対応する信頼度は、属性の照合がどの程度正確に行われるかを表す。
【００３４】
免許証の更新手続き全体における各アクションに信頼度を付与したアクションマトリクスの例を図２に示す。同図では、アクションに対応する信頼度は、０以上１以下の実数で与えられており、値が大きいほど信頼度が高いことを示している。同図に示した例では、説明を簡単にするために、写真もしくは肖像のみの属性と、それらの属性に関連するアクションのみを示している。
【００３５】
なお、同図における撮影者は、新免許証用の写真を撮影する被申請側担当者を意味する。また、作成者は、新免許証の作成を担当する被申請側担当者を意味し、交付者は、新免許証の交付を担当する被申請側担当者を意味する。
【００３６】
同図に示した例では、被申請側担当者の行為は信頼できるものと想定し、「照会」、「撮影」、「転送」および「転載」に対応する信頼度を全て１としている。一方、申請人による行為は不正行為の可能性があるものと想定し、「移動」に対応する信頼度を全て０とし、受付者のもとから検査者のもとへの申請書の写真の「持参」に対応する信頼度を０．８とし、検査者のもとから撮影者のもとへの申請書の写真の「持参」に対応する信頼度を０．９としている。「持参」の信頼度の差は、例えば、申請人がその属性を移動させるために要する距離や時間等によるものである。
【００３７】
図２に示したアクションマトリクスに基づいて作成したダイヤグラムを図３に示す。同図は、図２に示したアクションマトリクスから何らかのアクションと結びついている属性を抽出し、抽出した属性間を、アクションを示す矢印を用いて結合したものである。
【００３８】
このように、アクションマトリクスに設定された属性間の関連付けは、所定の段階におけるオブジェクト（および、その属性）をノードとし、ノード間をアクションに対応するパスで接続したダイヤグラムとして表現することができる。そして、各パスは、対応するアクションに設定された信頼度をもつ。
【００３９】
ここで、本実施例に係る信頼性評価方法について説明するため、図３に示したダイヤグラムを単純化したモデルを図４に示す。同図に示したダイヤグラムは、ノード３１〜３７によって構成されている。
【００４０】
ノード３１からは、ノード３２とノード３５へ向けてパスが出ており、ノード３２からは、ノード３３へ向けてパスが出ている。ノード３１からは、ノード３４とノード３６へ向けてパスが出ており、ノード３４からは、ノード３６へ向けてパスが出ている。また、ノード３５からは、ノード３６へ向けてパスが出ており、ノード３６からは、ノード３７へ向けてパスが出ている。
【００４１】
ノード３１が申請手続きの起点であり、ノード３７における申請手続きの信頼度を評価するものとして、本実施例に係る信頼性評価方法について説明する。
【００４２】
起点が所持している信頼度は、ノード間を接続するパスを通って、申請手続きの信頼度の評価対象のノード（以下、「検証点」という）へ伝達されるものであり、この伝達された信頼度が検証点における申請手続きの信頼度（以下、「検証点信頼度」という）であると考えることができる。
【００４３】
そして、起点が所持している信頼度は、パスを通過する際に、そのパスの信頼度が低ければその分だけ低下して伝達されるものであると考えることができる。すなわち、検証点信頼度は、起点と検証点の間の各パスの信頼度が高いほど高く、起点と検証点の間の各パスの信頼度が低いほど低くなる。
【００４４】
また、図４の例では、起点から検証点へ到る経路が３つ存在しているが、一般的には、複数存在する経路の一つで信頼度を確保できれば他の経路における信頼度は無視できると考えられるため、信頼度が最も高くなる経路の信頼度を検証点信頼度とみなすことができる。
【００４５】
以上をまとめると、検証点信頼度Ｎは、以下の数式１を用いて求めることができる。
【００４６】
【数１】
2007305066.tif 000003
【００４７】
ここで、Ｒiは、ｎ個ある経路のうちのｉ番目の経路における申請手続きの信頼度を示し、ｍａｘ（）は、最大値を求める関数である。また、Ｒiは、以下の数式２を用いて求めることができる。
【００４８】
【数２】
2007305066.tif 000004
【００４９】
ここで、Ｙは、起点が所持している信頼度であり、Ｘijは、ｉ番目の経路におけるｊ番目のパスの信頼度である。なお、検証点信頼度Ｎを求める式を以下の数式３もしくは数式４のように定義することもできる。
【００５０】
【数３】
2007305066.tif 000005
【００５１】
【数４】
2007305066.tif 000006
【００５２】
ここで、ｍｉｎ（）は、最小値を求める関数であり、ａｖｅ（）は、平均値を求める関数である。申請手続きによっては、複数の経路が存在する場合に、そのいずれか一つのみを通るケースもありうる。そのような場合に、数式３は、ワーストケースを考えて、申請手続きの信頼度を最も厳しく評価する目的に適しており、数式４は、これよりも厳しさをやや緩和して申請手続きの信頼度を評価する目的に適している。
【００５３】
また、複数の検証点を設け、複数の検証点信頼度をまとめて申請手続きの総合的な信頼度（以下、「総合信頼度」という）を評価することもできる。ｐ個の検証点信頼度をまとめて評価する場合の総合信頼度Ｃは、例えば、以下の数式５を用いて求めることができる。
【００５４】
【数５】
2007305066.tif 000007
【００５５】
この式は、検証点信頼度の積を総合信頼度とするものであり、ｐ個の検証点全ての信頼度の保証が求められる場合を想定した定義である。検証点信頼度の算出目的によっては、これ以外の算出式の定義を採用することもできる。例えば、ｐ個の検証点全ての信頼度を保証する必要がなく、それらの検証点のいずれかにおいて信頼度が保証されれば十分なケースでは、以下の数式６のように、検証点信頼度の和を総合信頼度とする定義が適している。
【００５６】
【数６】
2007305066.tif 000008
【００５７】
さらに、検証点ごとに重要性が異なるケースでは、以下の数式７のように、検証点ごとに重みを設定することもできる。
【００５８】
【数７】
2007305066.tif 000009
【００５９】
図３の説明に戻って、図３に示したノード１１〜２２のうち、ノード１１を起点とし、ノード１９、２０、２１および２２を検証点とした場合の各検証点の検証点信頼度の算出結果を以下の表１に示す。
【００６０】
【表１】
2007305066.tif 000010
【００６１】
これらの検証点信頼度は、起点の信頼度を１として、上記の数式１および２を用いて求めたものである。そして、これらの検証点信頼度を上記の数式５に適用して総合信頼度を求めると、その値は、約０．４１となる。
【００６２】
次に、本実施例に係る信頼度評価装置１００の構成について説明する。信頼度評価装置１００は、本実施例に係る信頼性評価方法を用いて申請手続きの信頼度を評価し、これに基づいて、申請手続きの設計作業等を支援する装置である。
【００６３】
図５は、本実施例に係る信頼度評価装置１００の構成を示す機能ブロック図である。同図に示すように、信頼度評価装置１００は、記憶部１１０と、制御部１２０と、ユーザインターフェース部１３０とを有する。ユーザインターフェース部１３０は、信頼度評価装置１００を使用するユーザが情報を入力したり、ユーザに対して情報を表示したりするためのインターフェース部であり、キーボードやモニタ等からなる。
【００６４】
記憶部１１０は、各種情報を記憶する記憶部であり、オブジェクト情報１１１と、属性情報１１２と、オブジェクト属性情報１１３と、ノード情報１１４と、パス情報１１５とを記憶する。
【００６５】
オブジェクト情報１１１は、申請手続きの各段階で行われる事実確認において用いられるオブジェクトの一覧が登録される情報である。オブジェクト情報１１１の一例を図６に示す。同図に示すように、オブジェクト情報１１１は、オブジェクトＩＤと、オブジェクト名という項目を有する。オブジェクトＩＤは、オブジェクトを識別するための識別番号であり、オブジェクト名は、オブジェクトの名称である。
【００６６】
図６に示した例の１行目は、オブジェクトＩＤが「ＯＢ００１」、オブジェクト名が「旧免許証」となっており、「旧免許証」という名前をもつオブジェクトが存在し、このオブジェクトは、「ＯＢ００１」というオブジェクトＩＤで識別されることを示している。
【００６７】
属性情報１１２は、申請手続きの各段階で行われる事実確認において用いられるオブジェクトがもちうる属性の一覧が登録される情報である。属性情報１１２の一例を図７に示す。同図に示すように、属性情報１１２は、属性ＩＤと、属性名と、関連属性いう項目を有する。属性ＩＤは、属性ＩＤを識別するための識別番号であり、属性名は、属性の名称である。
【００６８】
そして、関連属性は、照合の対象となり得る他の属性の属性ＩＤが設定される項目である。通常、照合においては、同一の属性同士が比較されるが、写真と肖像のように異なる属性が比較される場合もある。このように、照合の対象となり得る他の属性が存在する場合に、その他の属性の属性ＩＤが関連属性に設定され、照合の対象となり得る他の属性が存在しない場合は、関連属性は空欄となる。
【００６９】
図７に示した例の１行目は、属性ＩＤが「ＡＴ００１」、属性名が「写真」、関連属性が「ＡＴ００４」となっており、「写真」という名前をもつ属性が存在し、この属性は、「ＡＴ００１」という属性ＩＤで識別され、同一の属性の他に「ＡＴ００４」という属性ＩＤで識別される属性とも照合されることを示している。
【００７０】
オブジェクト属性情報１１３は、申請手続きの各段階で行われる事実確認において用いられるオブジェクトと属性の対応が登録される情報である。オブジェクト属性情報１１３の一例を図８に示す。同図に示すように、オブジェクト属性情報１１３は、オブジェクトＩＤと、属性ＩＤと、備考という項目を有する。
【００７１】
オブジェクトＩＤは、オブジェクト情報１１１のオブジェクトＩＤに対応する識別番号であり、属性ＩＤは、属性情報１１２の属性情報に対応する識別番号である。同一行のオブジェクトＩＤと属性ＩＤの組合せは、そのオブジェクトＩＤにより識別されるオブジェクトが、その属性ＩＤにより識別される属性をもつことを意味する。備考は、任意に設定可能なコメントである。
【００７２】
図８に示した例の１行目は、オブジェクトＩＤが「ＯＢ００１」、属性ＩＤが「ＡＴ００１」となっており、これは、「ＯＢ００１」というオブジェクトＩＤで識別される「旧免許証」という名のオブジェクトは、「ＡＴ００１」という属性ＩＤで識別される「写真」という名の属性をもつことを示している。
【００７３】
なお、オブジェクトは、複数の属性をもつことができ、オブジェクト属性情報１１３には、オブジェクトがもつ属性の数だけ、そのオブジェクトに対応する行が登録される。
【００７４】
ノード情報１１４は、オブジェクトを申請手続きの各段階ごとに区別して管理するための情報であり、アクションマトリクスの上端および左端に配置される情報に相当する。ノード情報１１４の一例を図９に示す。同図に示すように、ノード情報１１４は、ノード名と、オブジェクトＩＤと、発生順という項目を有する。
【００７５】
ノード名は、申請手続きの所定の段階におけるオブジェクトを区別して管理するための名前であり、
＜オブジェクト名＞＠＜所定の段階の被申請側担当者＞
の形式をとる。オブジェクトＩＤは、オブジェクト情報１１１のオブジェクトＩＤに対応する識別番号である。発生順は、申請手続きにおいて、当該の段階におけるオブジェクトが発生する順序を示す番号であり、値が小さいほど発生時期が早いことを示す。
【００７６】
図９に示した例の１行目は、ノード名が「旧免許証＠受付者」、オブジェクトＩＤが「ＯＢ００１」、発生順が「１」となっており、これは、「ＯＢ００１」というオブジェクトＩＤで識別される「旧免許証」という名のオブジェクトは、申請手続きの所定の段階において「旧免許証＠受付者」という名前で他の段階と区別して管理され、この段階におけるオブジェクトは、申請手続きの最も早い時期に発生することを示している。
【００７７】
パス情報１１５は、ノード情報１１４に登録されている各ノード間の関連付けを示す情報であり、アクションマトリクスのマトリクス部分に配置される情報に相当する。パス情報１１５の一例を図１０に示す。同図に示すように、パス情報１１５は、移動元のノード名および属性ＩＤと、移動先のノード名および属性ＩＤと、アクションと、パス信頼度と、検証点フラグと、検証点信頼度という項目を有する。
【００７８】
移動元のノード名および属性ＩＤは、ノード間の関連付けにおいて情報の移動元となるノードとその属性を特定するための情報であり、移動先のノード名および属性ＩＤは、ノード間の関連付けにおいて情報の移動先となるノードとその属性を特定するための情報である。
【００７９】
また、アクションは、ノード間を関連付けるアクションの名前であり、パス信頼度は、そのアクションに対応する信頼度である。検証点フラグは、移動先となるノードが検証点である場合に１となり、そうでない場合には０となるフラグ値である。検証点信頼度は、移動先となるノードが検証点である場合に、算出された検証点信頼度が設定される項目である。
【００８０】
図１０に示した例の１行目は、移動元のノード名および属性ＩＤが空欄となっている。このように、移動元のノード名および属性ＩＤが空欄となっている行は、移動先のノードが起点であることを示し、その行のパス信頼度には、起点の信頼度が設定される。図１０に示した例の１行目は、「旧免許証＠受付者」というノード名のノードが起点であり、起点の信頼度は１であることを示している。
【００８１】
制御部１２０は、信頼度評価装置１００を全体制御する制御部であり、ユーザインターフェース制御部１２１と、入力支援部１２２と、経路取得部１２３と、検証点信頼度算出部１２４と、総合信頼度算出部１２５と、信頼度シミュレート部１２６と、情報視覚化部１２７とを有する。
【００８２】
ユーザインターフェース制御部１２１は、ユーザインターフェース部１３０を制御して各種情報の入力や出力を行う制御部である。ユーザインターフェース制御部１２１が、パス情報１１５の情報の登録、修正および削除を行うためにユーザインターフェース部１３０に表示する入出力画面の一例を図１１に示す。
【００８３】
同図に示すように、パス情報１１５の情報の登録、修正および削除を行うための入出力画面は、アクションマトリクスの形式をとっている。アクションマトリクスの形式は、直感的に情報の入力等が可能であり、ユーザにとって利用しやすい。
【００８４】
ユーザインターフェース制御部１２１は、この画面を表示するため、ノード情報１１４に登録されている情報を発生順にマトリクスの上端および左端に配置し、さらに、各ノードのオブジェクトに対応する属性をオブジェクト属性情報１１３と属性情報１１２を参照して取得し、上端および左端に付加する。
【００８５】
そして、ユーザインターフェース制御部１２１は、パス情報１１５に登録されている情報をアクションマトリクス上の該当する位置に表示する。例えば、図１０に示した例の１行目は、起点を示すものなので、マトリクスの上部にある起点信頼度欄７の「旧免許証＠受付者」の部分にパス信頼度の値である「１」を表示する。
【００８６】
また、図１０に示した例の２行目は、移動元が「旧免許証＠受付者」の「写真」であり、移動先が「申請書＠受付者」の「写真」であるので、入力エリア５の入力欄２の上段にアクション名である「照合」を、下段にパス信頼度である「１」を表示する。
【００８７】
また、２行目の検証点フラグの値は１であるので、入力欄２が存在する行の左端にある検証点信頼度欄６の上段に１を表示し、このノードが検証点であることを示す。なお、この画面は、信頼度の評価結果の表示画面も兼ねており、検証点信頼度欄６の下段には、算出された検証点信頼度が表示される。
【００８８】
同様にして、ユーザインターフェース制御部１２１は、パス情報１１５に登録されている全ての情報をアクションマトリクス上に表示した後、ユーザによるアクションの追加、変更および削除、パス信頼度の設定および変更、起点および検証点の設定等を受け付け、その結果をパス情報１１５へ反映させる。
【００８９】
入力支援部１２２は、上記の入出力画面における情報の入力を支援する処理部である。例えば、照合のアクションは、同一の属性間、もしくは、属性情報１１２において関連付けされている属性間でしか行うことができない。また、申請手続きにおいてまだ発生していない属性との間でも照合のアクションを設定することはできない。
【００９０】
入力支援部１２２は、属性情報１１２の関連属性やノード情報１１４の発生順等に基づいて、照合のアクションの設定可否を判定し、ユーザがある属性に対して照合のアクションを追加しようとした場合に、相手方となりうる属性の候補を提示する。また、入力支援部１２２は、起点といずれかの検証点が未接続のままユーザが編集作業を終えようとした場合には警告を行う。
【００９１】
経路取得部１２３は、パス情報１１５に基づいて、申請手続きの信頼度を評価するために必要な起点から検証点までの経路を求める処理部である。検証点信頼度算出部１２４は、経路取得部１２３によって取得された経路を用いて、検証点信頼度を算出する処理部である。検証点信頼度の算出には、既に説明した数式１や２等を利用する。
【００９２】
総合信頼度算出部１２５は、検証点信頼度算出部１２４によって算出された検証点信頼度に基づいて総合信頼度を算出する処理部である。総合信頼度の算出には、既に説明した数式５等を利用する。
【００９３】
信頼度シミュレート部１２６は、ある条件を変更した場合に申請手続きの信頼度がどう変化するかを検証するための処理部である。信頼度シミュレート部１２６は、パス情報１１５の複製を作成し、ユーザがその複製を図１１に示した画面を用いて変更したものに基づいて、経路取得部１２３および検証点信頼度算出部１２４に検証点信頼度を計算させ、その結果を本来の検証点信頼度とともに表示する。
【００９４】
ユーザは、この機能を利用して、ある属性間の照合を追加した場合に、申請手続きの信頼度がどれだけ向上するかを検証することができる。図１１の入力欄３の部分にパス信頼度を１として照合を追加した場合の検証結果を以下の表２に示す。
【００９５】
【表２】
2007305066.tif 000011
【００９６】
この結果から、入力欄３の部分に照合を追加しても、信頼度の向上は見込めないことがわかる。
【００９７】
また、ユーザは、この機能を利用して、ある属性間の照合を省略した場合に、申請手続きの信頼度がどれだけ低下するかを検証することができる。図１１の入力欄１の部分の照合１を省略した場合と、入力欄２の部分の照合２を省略した場合の検証結果を以下の表３に示す。
【００９８】
【表３】
2007305066.tif 000012
【００９９】
この結果から、照合１を省略した場合は、申請手続きの後段において他の照合により信頼度が埋め合わされるが、照合２を省略した場合には、申請手続き全般において大きく信頼度が低下することがわかる。
【０１００】
また、信頼度シミュレート部１２６は、アクションのパス信頼度をある範囲で変動させた場合に申請手続きの信頼度がどう変化するかを求め、結果をグラフ表示することもできる。図１１の入力欄４の移動のアクションの信頼度を０から１まで０．１刻みで変動させた場合における検証点「新免許証＠交付者．写真」の検証点信頼度の変化を表すグラフを図１２に示す。
【０１０１】
このグラフから、入力欄３の部分に照合を追加しても、信頼度の向上は見込めないことがわかる。入力欄４の移動のアクションの信頼度を向上させても０．９以下であれば検証点信頼度に影響はないことがわかる。
【０１０２】
また、信頼度シミュレート部１２６は、各アクションのパス信頼度を小さな巾で仮想的に変化させた変化量（δＸ）と、それにともなう検証点の信頼度の変化量（δＣ）を計算し、その商（δＣ／δＸ）を求める感度分析を行うことにより、検証点の信頼度向上に対して効果の大きなアクションを発見し、それらをユーザに提示する機能をもつ。
【０１０３】
このような信頼度シミュレート部１２６の機能を利用することにより、ユーザは申請手続きの設計や改善を効率よく実行することができる。
【０１０４】
情報視覚化部１２７は、アクションマトリクスを分割して平面表示もしくは立体表示する処理部である。既に説明した通り、アクションマトリクスにおいては、上端の属性からアクションを介して関係づけられた左端の属性は、次の段階では、上端の同じ名前の属性として現れるが、アクションマトリクスが大きくなった場合には、左端と上端の同じ名前の属性の対応が視認し難くなる。
【０１０５】
そこで、情報視覚化部１２７は、アクションマトリクスを分割して、図１３や図１４に示すように平面表示もしくは立体表示することにより、左端と上端の同じ名前の属性の対応の視認性を向上させる。
【０１０６】
次に、図５に示した信頼度評価装置１００の処理手順について説明する。ここでは、経路取得部１２３と検証点信頼度算出部１２４がある検証点における検証点信頼度を算出する際の手順について説明することとする。
【０１０７】
図１５に示すように、経路取得部１２３は、パス情報１１５を全件読み込み、起点、すなわち、移動元が設定されていないパスの移動先に設定されているノードを現ノードとする（ステップＳ１０１）。そして、現ノードから出ている探索済でないパスが読み込んだ情報中にある場合は（ステップＳ１０２肯定）、探索済でないパスのいずれか一つを通ってノードを移動し、通過したパスを訪問中パス列に追加する（ステップＳ１０３）。
【０１０８】
そして、移動後の現ノードが検証点以外の終了点、すなわち、進むことができるパスが存在しないノードであるある場合は（ステップＳ１０４肯定）、一つ前のノードに戻り、戻ったパスを探索済にし、訪問中パス列からも削除し（ステップＳ１０８）、ステップＳ１０２から処理を再開する。
【０１０９】
一方、移動後の現ノードが終了点ではない場合（ステップＳ１０４否定）、現ノードが検証点でなければ（ステップＳ１０５否定）、そのまま、ステップＳ１０２から処理を再開し、現ノードが検証点であれば（ステップＳ１０５肯定）、訪問中パス列の内容を到達経路リストに記録した後（ステップＳ１０６）、ステップＳ１０８を実行し、ステップＳ１０２から処理を再開する。
【０１１０】
また、ステップＳ１０２において、現ノードから出ている探索済でないパスが読み込んだ情報中に存在しない場合は（ステップＳ１０２否定）、現ノードが起点でなければ（ステップＳ１０７否定）、ステップＳ１０８を実行し、ステップＳ１０２から処理を再開する。現ノードが起点であれば（ステップＳ１０７肯定）、検証点信頼度算出部１２４が、到達経路リストに記録された各経路の信頼度を算出し（ステップＳ１０９）、最大の算出結果を検証点信頼度とする（ステップＳ１１０）。
【０１１１】
ところで、複数の経路の信頼度のうち最大のものを検証点信頼度とする場合、他の経路よりも信頼度が低いことが判明した経路の探索を継続することは無駄である。このような無駄な探索を抑制した場合の処理手順を図１６に示す。
【０１１２】
同図に示すように、経路取得部１２３は、パス情報１１５を全件読み込み、起点、すなわち、移動元が設定されていないパスの移動先に設定されているノードを現ノードとし、探索済経路リストを空にし、検証点信頼度の変数を０と設定する（ステップＳ２０１）。
【０１１３】
そして、現ノードから出ている探索済でないパスが読み込んだ情報中にある場合は（ステップＳ２０２肯定）、探索済でないパスを通り、探索済経路リストにはない経路があるかを確認して、この条件に合う経路がなければ（ステップＳ２０３否定）、一つ前のノードに戻り（ステップＳ２１０）、ステップＳ２０２から処理を再開する。
【０１１４】
ステップＳ２０３において、条件に合う経路があった場合は（ステップＳ２０３肯定）、その経路のいずれか一つを通ってノードを移動し、起点から現ノードまでの経路の信頼度を検証点信頼度算出部１２４に算出させる（ステップＳ２０４）。ここで、算出された信頼度が検証点信頼度の変数の値よりも小さい場合は（ステップＳ２０５否定）、現在の経路を探索済ルートに追加し（ステップＳ２０９）、一つ前のノードに戻り（ステップＳ２１０）、ステップＳ２０２から処理を再開する。
【０１１５】
ステップＳ２０４で算出された信頼度が検証点信頼度の変数の値よりも大きい場合は（ステップＳ２０５肯定）、移動後の現ノードが検証点以外の終了点、すなわち、進むことができるパスが存在しないノードであるある場合は（ステップＳ２０６肯定）、一つ前のノードに戻り、戻ったパスを探索済にし（ステップＳ２１２）、ステップＳ２０２から処理を再開する。
【０１１６】
一方、移動後の現ノードが終了点ではない場合（ステップＳ２０６否定）、現ノードが検証点でなければ（ステップＳ２０７否定）、そのまま、ステップＳ２０２から処理を再開し、現ノードが検証点であれば（ステップＳ２０７肯定）、ステップＳ２０４で算出された信頼度を検証点信頼度の変数に設定し（ステップＳ２０８）、一つ前のノードに戻り、戻ったパスを探索済にし（ステップＳ２１２）、ステップＳ２０２から処理を再開する。
【０１１７】
また、ステップＳ２０２において、現ノードから出ている探索済でないパスが読み込んだ情報中に存在しない場合は（ステップＳ２０２否定）、現ノードが起点でなければ（ステップＳ２１１否定）、一つ前のノードに戻り、戻ったパスを探索済にし（ステップＳ２１２）、ステップＳ２０２から処理を再開する。現ノードが起点であれば（ステップＳ２１１肯定）、検証点信頼度の変数に設定されている値を検証点信頼度とする（ステップＳ２１３）。
【０１１８】
上記実施例で説明してきた信頼度評価装置１００の機能は、予め用意された信頼度評価プログラムをコンピュータで実行することによって実現することもできる。そこで、以下では、信頼度評価プログラムを実行するコンピュータの一例を説明する。
【０１１９】
図１７は、信頼度評価プログラム１０７１を実行するコンピュータ１０００を示す機能ブロック図である。このコンピュータ１０００は、各種演算処理を実行するＣＰＵ（Central Processing Unit）１０１０と、ユーザからのデータの入力を受け付ける入力装置１０２０と、各種情報を表示するモニタ１０３０と、各種プログラム等を記録した記録媒体からプログラム等を読み取る媒体読取り装置１０４０と、ネットワークを介して他のコンピュータとの間でデータの授受を行うネットワークインターフェース装置１０５０と、各種情報を一時記憶するＲＡＭ（Random Access Memory）１０６０と、ハードディスク装置１０７０とをバス１０８０で接続して構成される。
【０１２０】
そして、ハードディスク装置１０７０には、図５に示した制御部１２０と同様の機能を有する信頼度評価プログラム１０７１と、図５に示した記憶部１１０に記憶される各種データに対応する信頼度評価用データ１０７２とが記憶される。なお、信頼度評価用データ１０７２を、適宜分散させ、ネットワークを介して接続された他のコンピュータに記憶させておくこともできる。
【０１２１】
そして、ＣＰＵ１０１０が信頼度評価プログラム１０７１をハードディスク装置１０７０から読み出してＲＡＭ１０６０に展開することにより、信頼度評価プログラム１０７１は、信頼度評価プロセス１０６１として機能するようになる。そして、信頼度評価プロセス１０６１は、信頼度評価用データ１０７２から読み出した情報等を適宜ＲＡＭ１０６０上の自身に割り当てられた領域に展開し、この展開したデータ等に基づいて各種データ処理を実行する。
【０１２２】
なお、上記の信頼度評価プログラム１０７１は、必ずしもハードディスク装置１０７０に格納されている必要はなく、ＣＤ−ＲＯＭ等の記憶媒体に記憶されたこのプログラムを、コンピュータ１０００が読み出して実行するようにしてもよい。また、公衆回線、インターネット、ＬＡＮ（Local Area Network）、ＷＡＮ（Wide Area Network）等を介してコンピュータ１０００に接続される他のコンピュータ（またはサーバ）等にこのプログラムを記憶させておき、コンピュータ１０００がこれらからプログラムを読み出して実行するようにしてもよい。
【０１２３】
上述してきたように、本実施例では、申請手続きの各段階の間でやりとりされる事実確認のための情報の流れをパスとして定義し、パスごとに設定したパス信頼度に基づいて申請手続きの信頼度を算出するように構成したので、申請手続きの信頼度を定量的に評価することができ、また、これを応用して申請手続きのプロセスの設計や改善作業を効率化することができる。
【０１２４】
なお、上記の実施例においては、起点の信頼度を１とする場合の例を示したが、起点の信頼度は、必ずしも１と設定する必要はない。例えば、何度も更新され、様々な場面で本人認証に利用されてきた免許証と、初めて更新を迎える免許証を比較すると、前者の方が予め備えている信頼度が高いと考えられる。このように、起点となるオブジェクトの通用期間や利用回数等を考慮して、起点の信頼度を変動させることとしてもよい。
【０１２５】
（付記１）申請手続きの信頼度を評価する信頼度評価プログラムであって
前記申請手続きの各段階において申請者の事実確認に利用される対象の関連を示すパスを、そのパスにおいて事実確認に係る情報が伝達される向きと、該情報の伝達の正確さを示すパス信頼度とともに記憶したデータに基づいて、前記申請手続きの起点から所定の段階までの経路を前記パスの集合として取得する経路取得手順と、
前記経路取得手順によって取得された経路を構成する各パスに対応する前記パス信頼度と、前記起点の信頼度とを乗じることにより、前記所定の段階における申請手続きの信頼度を算出する信頼度算出手順と
をコンピュータに実行させることを特徴とする信頼度評価プログラム。
【０１２６】
（付記２）前記信頼度算出手順は、前記申請手続きの起点から所定の段階までの経路が前記経路取得手順によって複数取得された場合に、経路ごとに信頼度を算出し、算出された各信頼度の最大値を前記所定の段階における申請手続きの信頼度とすることを特徴とする付記１に記載の信頼度評価プログラム。
【０１２７】
（付記３）前記信頼度算出手順は、前記申請手続きの起点から所定の段階までの経路が前記経路取得手順によって複数取得された場合に、経路ごとに信頼度を算出し、算出された各信頼度の最小値を前記所定の段階における申請手続きの信頼度とすることを特徴とする付記１に記載の信頼度評価プログラム。
【０１２８】
（付記４）前記信頼度算出手順は、前記申請手続きの起点から所定の段階までの経路が前記経路取得手順によって複数取得された場合に、経路ごとに信頼度を算出し、算出された各信頼度の平均値を前記所定の段階における申請手続きの信頼度とすることを特徴とする付記１に記載の信頼度評価プログラム。
【０１２９】
（付記５）前記信頼度算出手順より算出された複数の段階における申請手続きの信頼度に基づいて、前記申請手続き全体の信頼度を算出する総合信頼度算出手順をさらにコンピュータに実行させることを特徴とする付記１〜４のいずれか一つに記載の信頼度評価プログラム。
【０１３０】
（付記６）前記申請手続きの起点において申請者の事実確認に利用される対象の通用期間に基づいて前記起点の信頼度を算出する起点信頼度算出手順をさらにコンピュータに実行させることを特徴とする付記１〜５のいずれか一つに記載の信頼度評価プログラム。
【０１３１】
（付記７）前記起点信頼度算出手順は、さらに、前記申請手続きの起点において申請者の事実確認に利用される対象が事実確認のために利用された回数に基づいて前記起点の信頼度を算出することを特徴とする付記６に記載の信頼度評価プログラム。
【０１３２】
（付記８）前記データの一部を変更する前後における前記信頼度算出手順の算出結果を並列表示するシミュレート手順をさらにコンピュータに実行させることを特徴とする付記１〜７のいずれか一つに記載の信頼度評価プログラム。
【０１３３】
（付記９）前記シミュレート手順は、前記データの一部を連続的に変動させ、この変動にともなう前記信頼度算出手順の算出結果の変動をグラフ化して表示することを特徴とする付記８に記載の信頼度評価プログラム。
【０１３４】
（付記１０）前記パス信頼度の変動量と、該パス信頼度の変動にともなって前記信頼度算出手順によって算出される信頼度が変動する量との比率を前記パスごとに求め、当該比率が所定の閾値よりも大きいパスを抽出する感度分析手順をさらにコンピュータに実行させることを特徴とする付記１〜９のいずれか一つに記載の信頼度評価プログラム。
【０１３５】
（付記１１）前記申請手続きの各段階において申請者の事実確認に利用される対象の名称を行名と列名として配置し、行列の要素として、前記対象の関連を示す前記パスのパス信頼度を配置した二次元行列をユーザインターフェースに表示させ、この二次元行列を前記パスに係る情報の入出力手段として利用するユーザインターフェース制御手順をさらにコンピュータに実行させることを特徴とする付記１〜１０のいずれか一つに記載の信頼度評価プログラム。
【０１３６】
（付記１２）前記申請手続きの各段階において申請者の事実確認に利用される対象の関連を示す前記パスが一連の連続する軌跡として現れるように、前記二次元行列を所定分割して配置する情報視覚化手順をさらにコンピュータに実行させることを特徴とする付記１１に記載の信頼度評価プログラム。
【０１３７】
（付記１３）申請手続きの信頼度を評価する信頼度評価装置であって
前記申請手続きの各段階において申請者の事実確認に利用される対象の関連を示すパスを、そのパスにおいて事実確認に係る情報が伝達される向きと、該情報の伝達の正確さを示すパス信頼度とともに記憶したデータに基づいて、前記申請手続きの起点から所定の段階までの経路を前記パスの集合として取得する経路取得手段と、
前記経路取得手段によって取得された経路を構成する各パスに対応する前記パス信頼度と、前記起点の信頼度とを乗じることにより、前記所定の段階における申請手続きの信頼度を算出する信頼度算出手段と
を備えたことを特徴とする信頼度評価装置。
【産業上の利用可能性】
【０１３８】
以上のように、本発明に係る信頼度評価プログラムおよび信頼度評価装置は、申請手続きの信頼度を評価する場合に有用であり、特に、信頼性の観点から申請手続きを定量的に評価し、もって、申請手続きにおける信頼性を確保するための設計作業や改善作業を支援することが必要な場合に適している。
【図面の簡単な説明】
【０１３９】
【図１】運転免許証の更新申請手続きにおける確認過程を示すアクションマトリクスの一例を示す図である。
【図２】写真と肖像に注目した場合のアクションマトリクスの一例を示す図である。
【図３】図２に示したアクションマトリクスに基づいて作成したダイヤグラムである。
【図４】本実施例に係る信頼度評価方法の概要を説明するための説明図である。
【図５】本実施例に係る信頼度評価装置の構成を示す機能ブロック図である。
【図６】オブジェクト情報のデータ構成の一例を示す図である。
【図７】属性情報のデータ構成の一例を示す図である。
【図８】オブジェクト属性情報のデータ構成の一例を示す図である。
【図９】ノード情報のデータ構成の一例を示す図である。
【図１０】パス情報のデータ構成の一例を示す図である。
【図１１】パス情報の入出力インターフェースの一例を示す図である。
【図１２】パス信頼度を変動させた場合における検証点信頼度の変化の一例を示す図である。
【図１３】複数枚の二次元行列を平面的に配置する例を示す図である。
【図１４】複数枚の二次元行列を立体的に配置する例を示す図である。
【図１５】信頼度評価装置の処理手順を示すフローチャートである。
【図１６】無駄な探索を抑制した場合の処理手順を示すフローチャートである。
【図１７】信頼度評価プログラムを実行するコンピュータを示す機能ブロック図である。
【符号の説明】
【０１４０】
１〜４  入力欄
５  入力エリア
６  検証点信頼度欄
７  起点信頼度欄
１１〜２２、３１〜３７  ノード
１００  信頼度評価装置
１１０  記憶部
１１１  オブジェクト情報
１１２  属性情報
１１３  オブジェクト属性情報
１１４  ノード情報
１１５  パス情報
１２０  制御部
１２１  ユーザインターフェース制御部
１２２  入力支援部
１２３  経路取得部
１２４  検証点信頼度算出部
１２５  総合信頼度算出部
１２６  信頼度シミュレート部
１２７  情報視覚化部
１３０  ユーザインターフェース部
１０００  コンピュータ
１０１０  ＣＰＵ
１０２０  入力装置
１０３０  モニタ
１０４０  媒体読取り装置
１０５０  ネットワークインターフェース装置
１０６０  ＲＡＭ
１０６１  信頼度評価プロセス
１０７０  ハードディスク装置
１０７１  信頼度評価プログラム
１０７２  信頼度評価用データ
１０８０  バス
【図１】
2007305066.tif 000013
【図２】
2007305066.tif 000014
【図３】
2007305066.tif 000015
【図４】
2007305066.tif 000016
【図５】
2007305066.tif 000017
【図６】
2007305066.tif 000018
【図７】
2007305066.tif 000019
【図８】
2007305066.tif 000020
【図９】
2007305066.tif 000021
【図１０】
2007305066.tif 000022
【図１１】
2007305066.tif 000023
【図１２】
2007305066.tif 000024
【図１３】
2007305066.tif 000025
【図１４】
2007305066.tif 000026
【図１５】
2007305066.tif 000027
【図１６】
2007305066.tif 000028
【図１７】
2007305066.tif 000029